(57)【要約】      （修正有）【課題】建築現場での型枠組立や鉄筋工事、冬季のコンクリート凍結を回避し、作業の効率が良く安価な基礎を提供する。【解決手段】建物の基礎を大型ブロック形式による（リンクベース）布基礎を工場内で構築して出来上がったブロック布基礎を現場に搬入し、ベースコンクリートの上に乗せて水平や角度を調整後ベースコンクリートの鉄筋と連結する。その後、鉄筋部は溶接、か、もしくはワイヤークランプで、横、縦を固定する。鉄筋のつなぎ目は、型枠をはめ目地で仕上げる、アンカーボルトが不足の場合には目地に挿入出来る。床下換気口もこの場所に埋め込みする。【選択図】図１
2014152598.tif 000002
【特許請求の範囲】
１  建物の基礎が（リンクベース）ベース部分と布基礎部分が一体施工で縁切りが無く強靭でてある事、
２  大きなブロック仕上げで、連結と目地挿入式で完成出来る事
３  リンクベース布基礎の連結部分（目地部）のＡカット形が特殊で（横ズレやねじれを防ぐ構造である事）
４  リンクベースの下のベースの部分の（目地）Ｃカットの形が特殊て（ヘンクベースの上下のズレ防止の構造である事
５  リンクベースのベース下の部分が施工ベース．Ｆの上に載りＦベースと連結され事でて強度が増強される構造である事
６  地震や落盤によって布基礎に損傷が起きた場合でも、ブロック式なので、其の部分のみ交換する事が可能である事
７  構造一体仕上げで強靭な布基礎が地震等で大きな衝撃を受けた場合に目地部分の破損によって衝撃を逃がす構造である事。
８  リンクベースの下部のＤカット部に目地ナマコンを挿入する事でＦとＩが密着し強度とバランスを保つ構造である事
【発明の詳細な説明】
本発明は、建物用基礎に関係するシステムである。。
【技術分野】住宅を含む建物用の基礎を（大型のブロック式）にして、工場で一括生産する事によって建築現場での型枠組立や鉄筋工事、冬季時作業によるコンクリートの凍結を回避し、基礎工事期間の短縮や、工事かかわる作業効率をよくして工事料金の安価に成るシステムである。
【背景技術】  現在一般的に住宅を始め建物の基礎は、現場において、床掘り後にベースコンクリートの捨てコント言われる、コンクリートを水平にならし、乾燥後に布基礎と言われる立ち上がりの分をコンクリートを打つ為に、型枠及び型枠押さえ部材、消耗品などの搬入、部材搬入後現場で鉄筋加工、結束、型枠組立及び型枠押さえ型枠押さえ工事など、冬季には、凍結防止養生もしなければならない、凍結防止養生が悪いと基礎コンクリートが凍結してコンクリートの強度が弱く成り後ど剥離して大きな問題に成っているのも少なくない、又、基礎完成後は、型枠の解体、掃除、型枠やその他の部材逆搬送など多大な人件費がかかっている為安価に成らないのが現状である。
【発明の開示】
【考案が解決しょうとする問題】
現場での工事期間を含め全体工事の短縮が出来る事
冬季など、凍結による品質低下の防止．する事
布基礎のコンクリート強度が均一である事
安価で提供出来る事
無駄な廃材を出さない事
現場への通勤が少なくなる事によって排気ガス抑制に繋がる事
【産業上の利用可能性】現在、住宅を含む建物の基礎は、基礎工事の期間の長さ、冬季時期の凍結の被害の為冬季の基礎工事は難儀と敬遠されがちである。
本考案の、リンクベース布基礎は、常温の工場内で一括生産される事によって均一な強度得る事が出来、又、  四季を選ばず生産可能な為、必要に応じた数の生産が出来、安定した供給が可能である。其の為工事期間が計画的に竣工できるので、近未来はリンクベースの使用頻度度は多くなると考えられる。
特に、東日本地震、にかかわる避難生活の人達の住宅移転の実行はこれからでありまして、家の新築には多額の資金が必要であり安価を求める事と、工事期間の短縮を求めるのは当然と思われる。
図を引用して組立を説明する。
2014152598.tif 000003
用してリンクベースを動かし、パッキンを下に入れて布基礎の斜頚を修正して上部が直線に並ぶ様に調整する。必要分のリンクベースが全部並んだら再度リンクベースの上部、（建物の土台の乗る部分）の直線ラインや角度を測定して図面に合致しているか
2014152598.tif 000004
地ナマコンかモルタルを挿入する。その後、▲Ｇ▼ベースコンクリートやＩリンクベース．サイド鉄筋  ２を溶接か▲Ｕ▼クランプで固定する。
鉄筋固定後、▲Ｈ▼型枠とセバを使用し両側から止て目地部分の所に生コンクリートを挿入する。
2014152598.tif 000005
2014152598.tif 000006
2014152598.tif 000007
2014152598.tif 000008
2014152598.tif 000009
2014152598.tif 000010
【手続補正書】
【提出日】平成25年8月5日(2013.8.5)
【手続補正１】
【補正対象書類名】明細書
【補正対象項目名】全文
【補正方法】変更
【補正の内容】
【発明の詳細な説明】
【技術分野】
【０００１】住宅を含む建物用基礎を大型のブロック式にして、工場で一括生産をする事によって建築現場での型枠組立や鉄筋工事、冬季時作業におけるコンクリートの凍結を回避し基礎工事の期間短縮や、工事にかかわる作業効率をよくして経費を押さえることで工事料金が安価に成るシステムである。
【背景技術】
【０００２】現在一般的に住宅を始め建物の基礎は、床掘り整地後に砕石をいれて捨てコンと言われるベースコンクリートを水平にならし乾燥後に布基礎と言われる立ち上がりの部分を鉄筋加工して形枠を組み付ける。その後、型枠押さえ、補強工事をした後、生コンクリートを打つ。
冬季は、凍結防止養生もしなければならないので現場での作業が大変である。又、養生が悪いと生コンクリートが凍結し強度が弱くなり後で剥離などが起こる為大きな問題に発展している事も少なくない。
又、基礎完成後には型枠解体やかたずけ、型枠の撤収など工事前と同じくらいの手間が掛かる為多大な人件費がかかるので安価に成らない
又、その他の方法が無いのが現状である。
【図面の簡単な説明】
【０００３】
【図１】リンクベース断面図、Ｅは既存工事と同じ砕石天圧して鉄筋配金後ベースコンクリートを打つ
【図２】リンクベースの形と、全体図、リンクベースの符号、直線結合の場合ａ−１とａ−１を結合する
【図３】リンクベース横面図、リンクベースａ−１とａ−１を図の様に鉄筋を接続し、溶接か、もしくわ  ワイヤークランプで固定する。
【図４】リンクベースａ−１とａ−１を連結後Ｈ部分Ｇ部分にＨ型枠で両面を塞ぐ型枠がズレない様にセバ．ボルトｐ−１とピーコンを使用して型枠を固定する。
【図５】リンクベース、ａ−１．ａ−１．ｂ−１  を固定後に目地型枠を取付して目地にナマコンを入れた状態の平面
【図６】ｘ−１は、基礎内部にて交差する部分の形状
【符号の説明】
【０００４】ａ−１  リンクベース本体
ｂ−１  リンクベース、コナー
ｘ−１  リンクベース、クロス
Ｃ．Ｃ１  ．Ｄ１はカット方法
Ｆ  ベースコンクリート
Ｇ  ベースコンクリート部の鉄筋
Ｔ  溶接かワイヤークランプ
Ｈ  目地用型枠
Ｐ−１  セバ．ホルト
Ｅ  砕石
【手続補正２】
【補正対象書類名】図面
【補正対象項目名】全図
【補正方法】変更
【補正の内容】
【図１】
2014152598.tif 000011
【図２】
2014152598.tif 000012
【図３】
2014152598.tif 000013
【図４】
2014152598.tif 000014
【図５】
2014152598.tif 000015
【図６】
2014152598.tif 000016
【手続補正３】
【補正対象書類名】特許請求の範囲
【補正対象項目名】全文
【補正方法】変更
【補正の内容】
【特許請求の範囲】
【請求項１】
建物の基礎が大きなブロック形で（リンクベース）連結でき用途によって増設出来る構造である事
【請求項２】
リンクベースの連結部分が  図３のＣカットが縦ずれ防止である事、
【請求項３】
図１のＤカットがＦとの密着を高めリクベースの左右の安定手を持たせるカットである事
【請求項４】
図５のＣ−１のカットがリンクベースの左右のズレ防止し強い衝撃がかかった場合にここが破損する事によって他の基礎部分の連続破損が回避できる加工である事
【請求項５】
リンクベースが図１のＦのベースコンクリートの上に載る構造であって強度が通常の基礎より強固の構造であり図１Ｆが破損してもリンクベースに破損直接影響が無い構造である事
【請求項６】
地震や落盤によって布基礎に亀裂など生じた場合にでもブロック式なので破損部分のみ交換が可能である事
【請求項７】
基礎の土台の部分と布基礎の部分が一体仕上げで完全に連結されて施工時における縁切り部分が無い構造である事